(57)【要約】【課題】車両運搬と人力運搬が一人でも容易に行え、様々な状況や場所に持ち運ぶ事ができるよう小型軽量化し、なおかつ、設置や利用する際に、小さな空間に収まる保管トレーラーを提供する。【解決手段】保管トレーラーの保管庫部分（１）を縦型で製作し、前方にハンドル（２）を設け、ハンドルと車両牽引装置（３）が折り畳まれる事を特徴とする。【選択図】　図１
2004098998.tif 000002
【特許請求の範囲】
【請求項１】
保管トレーラーの保管庫部分（１）を縦型で製作し、前方にハンドル（２）を設け、車両牽引装置（３）とハンドル（２）は折り畳まれる。
以上のごとく構成された保管トレーラー。
【発明の詳細な説明】
【０００１】
【発明の属する技術分野】
この考案は、保管トレーラーの保管庫を縦型で製作し、前方にハンドルを設け、車両牽引装置及びハンドルが折り畳まれる保管トレーラーに関する物である。
【０００２】
【従来の技術】
従来、車両牽引する平型の保管トレーラーはあったが、床面積が大きく、車両牽引装置も出っ張っていた。
【０００３】
【発明が解決しようとする課題】
従来の平型保管トレーラーには次のような欠点があった。
（イ）駐車、設置の為に大きなスペースが必要であった。
（ロ）保管庫は四角形の箱形であり、開口部は天井全面と後方全面を開閉する方式で、開閉が大変であり、荷物の出し入れ、管理の利便性が悪かった。
（ハ）人力で移動する為に、方向を操作する小さな車輪（ジャッキホイール）が前方にあるが、一人でジャッキホイールの方向操作とトレーラーを引っ張る事を同時に行うことは難しく、牽引車両から独立して人力運搬し、利用することに向かず、車両牽引が利用の前提になっていた。
本考案は、これらの欠点を除くためになされたものである。
【０００４】
【課題を解決するための手段】
（イ）トレーラーの駐車スペースを減らす為に、保管トレーラーの保管庫部分（１）を床面積の少ない縦型で製作し、車両牽引装置（３）は折り畳まれる。
（ロ）保管庫の利便性を良くするために、保管庫後方に上下分割式の開口部（４）を設け、下方開口部は開口部兼容器（５）であり、栓（６）も付属する。保管庫の内部には棚（７）及び仕切り板（８）を設ける。
（ハ）人力運搬が容易になるように、トレーラーの前方に折り畳まれるハンドル（２）と後方に取っ手（９）を設ける。
本考案は以上のような構成よりなる保管トレーラーである。
【０００５】
【発明の実施の形態】
以下、本案の実施の形態について説明する。
（イ）保管トレーラーの保管庫部分（１）を縦型で製作する。
（ロ）保管庫は後方に上下分割式の開口部（４）を設け、下方の開口部は縁を高くして、開口部兼容器（５）とする。容器上部には取り外せる蓋（１０）を設け、容器底面には栓（６）を設ける。
（ハ）保管庫の内部には構造体も兼ねた棚（７）及び仕切り板（８）を設け、仕切り板（８）には穴を設ける。
（ニ）保管トレーラーの前方に棒状の折り畳まれるハンドル（２）、後方には取っ手（９）を設け、保管トレーラーの前方の車両牽引装置（３）は折り畳まれる構造とする。
（ホ）道路を走るために必要な装置を装備する。
本案を使用するときは、
（ヘ）保管トレーラーを運搬する際に、車両運搬する時は車両牽引装置（３）を伸ばし、牽引車両につないで運搬し、人力運搬する時は運搬車両から車両牽引装置（３）を外し、前方のハンドル（２）を伸ばし、人力で引っ張るか、後方の取っ手（９）を握り、人力で押して運搬する。
（ト）保管トレーラーを駐車する際には、運搬車両から車両牽引装置（３）を外し、ハンドル（２）と車両牽引装置（３）を折り畳み、設置する。
（チ）保管庫（１）を利用する際は、上下分割式の開口部（４）を開閉し、用品の出し入れを行い、下方開口部の開口部兼容器（５）は、蓋（１０）が付いたままなら台として、蓋（１０）を外せば物入れ、あるいは、栓（６）と共にシンクとして利用する。また、開口部兼容器（５）、棚（７）、穴のあいた仕切り板（８）は保管用品の整理に使用する。
【０００６】
【発明の効果】
（イ）本案は以上のような構造で、これを使用する時、駐車に際しては、車両牽引装置（３）を折り畳めば、非常に小さな駐車空間で事足りる。また、運搬に際しては、人力運搬と車両運搬を状況に合わせ選択できる効果があり、道路は車両運搬し、車両通行不可の場所では、ハンドル（２）と取っ手（９）を使い、一人で目的地まで運ぶ事が出来る。
（ロ）そして、このトレーラーの特徴は、防災用品の保管用トレーラーとして使用すると、より明確になる。屋内の置き場所に困り、分散しがちな防災用品をこのトレーラーに一括して保管すれば、防災用品の管理が簡単である。避難の時は、屋外にあるトレーラーはすぐに運び出す事ができ、災害時における一般車両の通行が原則的に禁止されている状況でも、人力でトレーラーを避難所まで運搬できる。避難所では、トレーラーは貴重品保管庫や荷物を運ぶ台車として活用できる。そして、開口部兼容器（５）は水を溜めて、洗面台や手洗いとして利用できる。このような点から、防災用保管トレーラーとして災害時に効果がある。また、普段はそのままキャンプ用に転用できる。
（ハ）実施に際して、車両牽引装置（３）の折り畳まれる方向は横方向、垂直方向のどちらの設計でも構造上問題ない。又、ハンドル（２）の付ける場所は保管庫部分（１）、車両牽引装置（３）のどちらでも良い。
ハンドル（２）の長手の形式は、▲１▼単管式、▲２▼中央で折れる中折れ式、▲３▼二重のパイプで長さ調節する格納式、▲４▼釣り竿のような多段式、▲５▼蛇腹式のような方法もある。トレーラーには、装備を充実させるために、ルーフキャリア、梯子、シガーソケット、スペアタイヤ、工具入れ、バッテリーを付加することができる。
（ニ）このトレーラーを基に、図４に示すように下方に開閉する壁面（１１）や上方に開閉する壁面（１２）に水平に固定する装置を付加すれば、台やテーブルとしても利用できる。
（ホ）なお、図５で示すように、保管庫の外形をパイプのフレーム（１３）で構成する事で、壁面をガラス、ＦＲＰ、断熱材、鉄、木、金網、ソーラーパネル、液晶画面やスピーカー内蔵などの各種材料のパネル（１４）をはめ込んだり、ファスナー付きの布地で覆うというように、目的に合わせ多様な素材を使用できる。
図５のように、壁面に金網の小窓（１５）を付けたパネルを使用すれば、設置時は動物小屋として利用し、動物を移動するときは牽引車両に車両牽引装置（３）をつなぎ、ゲージとして運搬することができる。
又、保管庫に断熱材のパネルを用い、温度調節の装置を保管トレーラー
に装備すれば、保温冷保管トレーラーにもなる。
【図面の簡単な説明】
【図１】本考案を前方より見た斜視図である
【図２】本考案を後方より見た斜視図である
【図３】本考案の後方を図２のＡ線で切り欠いた断面斜視図である
【図４】本考案の側面を開閉する実施例を示す斜視図である
【図５】本考案のパネルとフレームによる実施例を示す斜視図である
【符号の説明】
１　保管庫部分　　　　　２　ハンドル　　　　　　３　車両牽引装置
４　開口部　　　　　　　５　開口部兼容器　　　　６　栓
７　棚　　　　　　　　　８　仕切り板　　　　　　９　取っ手
１０　蓋　　　　　　　　１１　下方開閉する壁面　１２　上方開閉する壁面
１３　パイプのフレーム　１４　各種材料のパネル　１５　金網の小窓
【図１】
2004098998.tif 000003
【図２】
2004098998.tif 000004
【図３】
2004098998.tif 000005
【図４】
2004098998.tif 000006
【図５】
2004098998.tif 000007